【事件の表示】
　特願２００８−２１８５０１「表示装置」拒絶査定不服審判事件〔平成２２年　３月１１日出願公開、特開２０１０−　５４７１８〕について、次のとおり審決する。
【結　論】
　本件審判の請求は、成り立たない。
【理　由】
１．手続の経緯
　本件出願は、平成２０年８月２７日の出願であって、平成２４年９月１８日付け、及び平成２５年５月２７日付けで手続補正書が提出され、同年９月２０日付けで前記平成２５年５月２７日付けの手続補正は却下されると同時に拒絶の査定がなされ、これに対し、同年１２月２７日付けで拒絶査定に対する審判請求がなされると同時に手続補正書が提出されて特許請求の範囲、及び明細書を補正する手続補正がなされたものである。
　
２．平成２５年１２月２７日付け手続補正書による補正（以下「本件補正」という。）についての補正却下の決定
　［補正却下の決定の結論］
　　本件補正を却下する。
　
　［理由］
（１）補正後の本願の発明
　本件補正により、特許請求の範囲の請求項１は、
「画像を表示する表示パネルと、
　前記表示パネルの少なくとも一辺の側面側に設けられる熱源と、
　前記熱源で発生する熱を吸熱する吸熱部と、
　前記表示パネルの背面側に設けられ、金属からなり、
前記表示パネルの背面側において
　前記表示パネルの前面側に設けられ、金属からなる前面板と、
　前記前面板と前記吸熱部との間に設けられ、前記吸熱部が吸熱した熱を前記前面板に伝導するミドルシャーシと、
を備える、表示装置。」
と補正された。（下線は審決で付した。以下同じ。）
　上記補正は、請求項１に係る発明を特定するために必要な事項である「背面板」に関し、「表示パネルの背面側において」一部が吸熱部に密着すると限定するものであって、特許法第１７条の２第５項第２号の特許請求の範囲の減縮を目的とするものに該当する。
　そこで、本件補正後の前記請求項１に係る発明（以下「本願補正発明」という。）は、前記に記載された事項により特定されるところ、本願補正発明が、特許出願の際独立して特許を受けることができるものであるか（特許法第１７条の２第６項において準用する同法第１２６条第７項の規定に適合するか）について以下に検討する。
　
（２）引用例
ア．引用例１
　原査定の拒絶の理由に引用され、本願の出願日前に頒布された「特開２００８−１８６７８０号公報 」（以下「引用例１」という。）には、図面と共に次の事項が記載されている。
・「実施の形態１．
　図１または図２に示すように、１は
開口部１ａを有する箱型の背面フレーム１
背面フレーム１の内壁の側面である内側面１ｂには光を出射する光源装置３１が配置されている
光源装置３１から出射した光を面状に伝播させる略矩形状の導光板７を背面フレーム１の内部に配置し、光源装置３１から光が出射する光出射部３１ａと対向する位置に導光板７の一側面である入射面７ｂを配置する
さらに背面フレーム１と開口部を有する正面フレーム８とを嵌合させることで面状光源装置３２を構成している
面状光源装置３２の出射面側には、表示パネル９およびこの表示パネル９を駆動、制御する回路基板１０を備え、開口部１１ａを備えたフロントフレーム１１と面状光源装置３２とを嵌合させ、表示装置３３を構成している
・「次に、本実施の形態１の光源装置３１について、図面を用いて詳細に説明を行う。
前述した通り、図１において、光源装置３１は、背面フレーム１の内側面１ｂに配置する。図３および図４に示すように、
光源装置３１は、略長方形状の光源基板４に点状光源３を実装させ
後面４２側に支持部材６を対向する位置に配置させている
・「図２〜図５に示すように、支持部材６は、光源基板４と同サイズもしくは同サイズより大きいサイズで形成し、光源基板４の後面４２側に配置することで、光源基板４の撓みや位置ずれを防止することができる。また、支持部材６の上面６１、下面６２には光源基板カバー５と嵌合させるための凹部６ａを設ける。図３および図５に示すように、凹部６ａは前面６３側と後面６４側で、段差の違う凹部６ａを構成しており、光源基板カバー５の突起部５ｂおよび先端部５ｃが、支持部材６の後面６４、上面６１より突出しないように形成する。また、
支持部材６は
アルミ、ステンレス、鉄、銅などの熱伝導性の高い金属、またはこれらの金属を含む材料で構成することで、さらに放熱効果を高めることができる
・「次に光源装置３１の組立方法について、図３を参照しながら説明を行う。
まず、点状光源３を実装した光源基板４の後面４２と、支持部材６の前面６３とが重なるように配置する。さらに、光源基板４の凹部４ａと支持部材６の凹部６ａとが一致するように配置する。次いで、光源基板カバー５の貫通孔５ａを点状光源３に収納させるように配置し、突起部５ｂを支持部材６の凹部６ａの形成位置と一致させ、凹部６ａに突起部５ｂ、先端部５ｃを嵌合させる。ここで、
光源基板４を支持部材６に固定させるために、両面テープ、接着剤、熱伝導性が高いグリース等を用いてもよい
この場合、光源基板４をより確実に支持部材６へ密着させることができ、放熱性を向上させることができる
・「以上説明したとおり、本発明による
光源装置３１は、点状光源３を実装させた光源基板４を備えており
後面４２側には支持部材６を配置して
点状光源３から発生する熱を効率よく、支持部材６に伝熱させることができる
・「また、
背面フレーム１は、例えばアルミ、ステンレス、鉄、銅などの熱伝導性の高い金属
からなる
・「
正面フレーム８は、例えばアルミ、ステンレス、鉄、銅などの熱伝導性の高い金属
からなる
・「実施の形態２．
　図１１は本発明の実施の形態２に係わる表示装置の分解斜視図、図１２は図１１で示した表示装置を組み立てた状態で矢視Ｅ−Ｅ方向から見た部分断面図である。図１１、１２に示すように、本実施の形態２の光源装置３４は、光源基板４の後面４２側に支持部材６を配置するが、光源基板４の点状光源３の実装面４１側には、実施の形態１のような光源基板カバー５を配置せず、背面フレーム１に形成した突出部１ｆおよび、背面フレーム１と正面フレーム８とで形成した凹部８ｂに光源装置３４を嵌合させることによって、光源基板４および支持部材６を支持する構成とする。
なお、この背面フレーム１に形成した突出部１ｆおよび、背面フレーム１と正面フレーム８とで形成した凹部８ｂに光源装置３４を嵌合させて支持するところのみが実施の形態１と相違し、その他の構成は実施の形態１と同様である
・「以上説明したとおり、本実施の形態２による面状光源装置３２は、
背面フレーム１の開口部１ａと対向する底面１ｃに、この底面１ｃの一辺を含み、内部から外部に向かって凸となる突出部１ｆを一部に形成し、この突出部１ｆの内壁および背面フレーム１と正面フレーム８とで形成した凹部８ｂに光源装置３４を嵌合させる構造とした
・「
また、支持部材６を、ネジ止め、粘着材などを用いて背面フレーム１へ固定することにより、光源基板４から発生した熱を、支持部材６を介して放熱させる
　また、図１１、及び１２の記載から、以下の事項が看取される。
・「
フロントフレーム１１は、正面フレーム８上に密着して配置されている
　これらの記載事項及び図示内容を総合すると、引用例１には、次の発明（以下「引用発明１」という。）が記載されているものと認められる。
「開口部を有する箱型の背面フレームの内壁の側面である内側面には光を出射する光源装置が配置され、光源装置から出射した光を面状に伝播させる略矩形状の導光板を背面フレームの内部に配置し、光源装置から光が出射する光出射部と対向する位置に導光板の一側面である入射面を配置し、さらに背面フレームと開口部を有する正面フレームとを嵌合させることで面状光源装置を構成し、面状光源装置の出射面側には、表示パネルおよびこの表示パネルを駆動、制御する回路基板を備え、開口部を備えたフロントフレームと面状光源装置とを嵌合させた、表示装置において、
　光源装置は、略長方形状の光源基板に点状光源を実装させ、後面側に支持部材を対向する位置に配置させて、点状光源から発生する熱を効率よく、支持部材に伝熱させ、
　支持部材は、アルミ、ステンレス、鉄、銅などの熱伝導性の高い金属、またはこれらの金属を含む材料で構成されて、さらに放熱効果を高め、
　背面フレームは、例えばアルミ、ステンレス、鉄、銅などの熱伝導性の高い金属からなり、
　正面フレームは、例えばアルミ、ステンレス、鉄、銅などの熱伝導性の高い金属からなり、
　フロントフレームは、正面フレーム上に密着して配置されており、
　背面フレームの開口部と対向する底面に、この底面の一辺を含み、内部から外部に向かって凸となる突出部を一部に形成し、この突出部の内壁および背面フレームと正面フレームとで形成した凹部に光源装置を嵌合させて支持し、
　また、支持部材を、ネジ止め、粘着材などを用いて背面フレームへ固定して、光源基板から発生した熱を、支持部材を介して放熱させる表示装置。」
　
イ．引用例２
　同様に引用され、本願の出願日前に頒布された「特開２００８−２０５５７号公報」（以下「引用例２」という。）には、図面と共に以下の事項が記載されている。
・「
液晶表示モジュール１００は、液晶パネル１２０と、バックライトモジュール（以下「バックライト」と略称する）２００と、回路基板１４０と、複数の配線が集合して構成されたフレキシブルプリント配線板１６０と、ベゼル１８０とを含んで構成されている
・「
バックライト２００は、ケース４００と、複数の白色ＬＥＤ３００と、ＬＥＤ実装基板３２０と、反射シート２２０と、導光板２４０と、光学シート２６０とを含んで構成されている
・「
ケース４００は、背面ケース４２０と前面ケース４４０とを含んで構成されている
・「
背面ケース４２０および前面ケース４４０は、例えばアルミニウムやステンレス鋼等の金属で構成され
・「ベゼル１８０は液晶パネル１２０にバックライト２００とは反対側から被せられ液晶パネル１２０およびバックライト２００を収容して配置されている。このとき、ベゼル１８０の側部１８２は、前面ケース４４０の外側に位置し、前面ケース４４０の側部４４２に対向し（重なり）、側部４４２を介して背面ケース４２０の側部４２２に対向している（重なっている）。
ベゼル１８０は、例えばアルミニウムやステンレス鋼等の金属で構成され
・「上記構成によれば、ビス５０１によって、
背面ケース４２０と前面ケース４４０とベゼル１８０とがＬＥＤ３００の取り付け箇所の裏側において強制的に密着している
ＬＥＤ３００の発熱は、背面ケース４２０、前面ケース４４０およびベゼル１８０を順番に伝達し、上記３つの部材４２０，４４０，１８０の最外部に位置するベゼル１８０から放熱される
　上記の記載事項を総合すると、引用例２には、次の発明（以下「引用発明２」という。）が記載されているものと認められる。
「液晶パネルと、バックライトモジュール（以下「バックライト」と略称する）と、回路基板と、複数の配線が集合して構成されたフレキシブルプリント配線板と、ベゼルとを含んで構成されている液晶表示モジュールにおいて、
　バックライトは、ケースと、複数の白色ＬＥＤと、ＬＥＤ実装基板と、反射シートと、導光板と、光学シートとを含んで構成され、
　ケースは、背面ケースと前面ケースとを含んで構成され、
　背面ケースおよび前面ケースは、例えばアルミニウムやステンレス鋼等の金属で構成され、
　ベゼルは、例えばアルミニウムやステンレス鋼等の金属で構成され、
　背面ケースと前面ケースとベゼルとがＬＥＤの取り付け箇所の裏側において強制的に密着しており、ＬＥＤの発熱は、背面ケース、前面ケースおよびベゼルを順番に伝達し、上記３つの部材の最外部に位置するベゼルから放熱される液晶表示モジュール。」
　
（３）対比
　そこで、本願補正発明と引用発明１とを対比すると、
　後者における「表示パネル」は、その機能、作用等からみて、前者における「表示パネル」に相当し、以下同様に、「点状光源」は「熱源」に、「支持部材」は「吸熱部」に、「背面フレーム」は「背面板」に、「フロントフレーム」は「前面板」に、「正面フレーム」は「ミドルシャーシ」に、「表示装置」は「表示装置」に、それぞれ相当する。
　また、後者における「表示パネル」は、画像を表示するものであることは、明らかである。
　また、後者における「点状光源」は、光源装置の光源基板に実装され、光源装置は面フレームの内壁の側面である内側面に配置され、光源装置から出射した光を面状に伝播させる略矩形状の導光板を背面フレームの内部に配置しているから、「表示パネルの少なくとも一辺の側面側に設けられている」といえる。
　また、後者における「支持部材」は、アルミ、ステンレス、鉄、銅などの熱伝導性の高い金属、またはこれらの金属を含む材料で構成されて、放熱効果を高めるものであって、光源装置の光源基板から発生した熱を、支持部材を介して放熱させるから、「熱源で発生する熱を吸熱する」ものといえる。
　また、後者は、光源装置から出射した光を面状に伝播させる略矩形状の導光板を背面フレームの内部に配置し、背面フレームと開口部を有する正面フレームとを嵌合させることで面状光源装置を構成し、面状光源装置の出射面側には、表示パネルを備えるものであり、背面フレームは、例えばアルミ、ステンレス、鉄、銅などの熱伝導性の高い金属からなるから、「背面フレームは、表示パネルの背面側に設けられ、金属からなる」ものといえる。
　また、後者は、光源装置から出射した光を面状に伝播させる略矩形状の導光板を背面フレームの内部に配置し、背面フレームと開口部を有する正面フレームとを嵌合させることで面状光源装置を構成し、面状光源装置の出射面側には、表示パネルを備え、開口部を備えたフロントフレームと面状光源装置とを嵌合させているから、「フロントフレームは、表示パネルの前面側に設けられている」といえる。
　また、後者は、突出部の内壁および背面フレームと正面フレームとで形成した凹部に光源装置を嵌合させさせて支持しているから、「正面フレームは、フロントフレームと支持部材との間に設けられている」といえる。
　したがって、両者は、
「画像を表示する表示パネルと、
　前記表示パネルの少なくとも一辺の側面側に設けられる熱源と、
　前記熱源で発生する熱を吸熱する吸熱部と、
　前記表示パネルの背面側に設けられ、金属からなる、背面板と、
　前記表示パネルの前面側に設けられる、前面板と、
　前記前面板と前記吸熱部との間に設けられる、ミドルシャーシと、
を備える、表示装置。」
　の点で一致し、以下の点で相違している。
［相違点１］
　背面板が、本願補正発明は、「表示パネルの背面側において一部が吸熱部に密着する」のに対し、引用発明１は、その点につき明らかでない点。
［相違点２］
　前面板が、本願補正発明は、「金属からなる」のに対し、引用発明１は、その点につき明らかでない点。
［相違点３］
　ミドルシャーシが、本願補正発明は、「吸熱部が吸熱した熱を前面板に伝導する」のに対し、引用発明１は、その点につき明らかでない点。
　
（４）判断
　上記相違点について以下検討する。
ア．相違点１について
　引用発明１は、「光源装置は、略長方形状の光源基板に点状光源を実装させ、後面側に支持部材を対向する位置に配置させて、点状光源から発生する熱を効率よく、支持部材に伝熱させ」、及び「背面フレームの開口部と対向する底面に、この底面の一辺を含み、内部から外部に向かって凸となる突出部を一部に形成し、この突出部の内壁および背面フレームと正面フレームとで形成した凹部に光源装置を嵌合させて支持し、また、支持部材を、ネジ止め、粘着材などを用いて背面フレームへ固定して、光源基板から発生した熱を、支持部材を介して放熱させる」と特定され、つまり背面フレームの底面に形成された突出部の内壁に光源装置を構成する支持部材を嵌合させて支持し、また、支持部材を、ネジ止め、粘着材などを用いて背面フレームへ密着して固定することが示されているといえる。
　また、一般に一方の部材から他方の部材に熱を伝導させる場合、一方の部材と他方の部材との間に空隙を設けたものより、一方の部材と他方の部材とを密着させたものの方が、熱は効率よく伝導するということは、当業者にとって技術常識である。
　してみると、引用発明１は、上記のとおり、背面フレームの底面（の突出部の内壁）に支持部材を嵌合させて支持し、支持部材を背面フレームに密着して固定するものであって、点状光源から発生した熱を効率よく放熱させることを目的とするものであるから、上記の技術常識も踏まえれば、引用発明１の背面フレームの底面の突出部の内壁、つまり表示パネルの背面側における背面フレームの一部を支持部材に密着するようにすることは、当業者が容易に想到し得るものである。
　したがって、引用発明において、相違点１に係る本願発明の発明特定事項とすることは、当業者が容易に想到し得るものである。
　
イ．相違点２について
　引用発明２は、上記「（２）イ．」のとおりであって、引用発明２における「液晶パネル」は、その構造、機能、作用等からみて、本願補正発明における「表示パネル」に相当し、以下同様に、「ＬＥＤ」は「熱源」に、「背面ケース」は「背面板」に、「ベゼル」は「前面板」に、「前面ケース」は「ミドルシャーシ」に、「液晶表示モジュール」は「表示装置」に、それぞれ相当する。
　そして、引用発明２における「ベゼル」は、例えばアルミニウムやステンレス鋼等の金属からなり、ＬＥＤの発熱を、前面ケースからベゼルへ伝達して放熱するものである。
　してみると、上記相違点２に係る本願補正発明の発明特定事項を備えている。
　そして、引用発明１と引用発明２とは、表示装置という共通の技術分野に属し、熱源が発する熱を効果的に発散させるという共通の課題を有するものであるから、引用発明１において、引用発明２を適用することは、当業者が容易に想到し得るものである。
　したがって、引用発明１において、引用発明２を適用することにより、相違点２に係る本願補正発明の発明特定事項とすることは、当業者が容易に想到し得るものである。
　
ウ．相違点３について
　引用発明１は、「フロントフレームは、正面フレーム上に密着して配置されており」、「背面フレームと正面フレームとで形成した凹部に光源装置を嵌合させて支持し」、「点状光源から発生する熱を効率よく、支持部材に伝熱させ」と特定されているところ、フロントベゼルやフロントフレームといった部材は、通常熱伝導性を有する部材で形成されることから、点状光源から発生する熱は、支持部材から正面フレームを介してフロントフレームに伝導して放熱される蓋然性が高いといえる。
　また、引用発明２における「ベゼル」は、上記「（４）イ．」のとおり、例えばアルミニウムやステンレス鋼等の金属からなり、ＬＥＤの発熱を、前面ケースからベゼルへ伝達して放熱するものである。
　してみると、これらの事項に照らし、引用発明１において、支持部材が吸熱した熱を正面フレームを介してフロントフレームに伝導することは、当業者が容易に想到し得るものである。
　したがって、引用発明において、相違点３に係る本願発明の発明特定事項とすることは、当業者が容易に想到し得るものである。
　
　そして、本願補正発明の発明特定事項の全体によって奏される効果も、引用発明１、２及び上記技術常識から当業者が予測し得る範囲内のものである。
　
　よって、本願補正発明は、引用発明１、２及び上記技術常識に基づいて、当業者が容易に発明をすることができたものであるから、特許法第２９条第２項の規定により特許出願の際独立して特許を受けることができないものである。
　
（５）むすび
　以上のとおりであって、本件補正は、特許法第１７条の２第６項において準用する同法第１２６条第７項の規定に違反するので、同法第１５９条第１項の規定において読み替えて準用する同法第５３条第１項の規定により却下すべきものである。
　
３．本願の発明について
　本件補正は、上記のとおり却下されたので、本願の請求項１に係る発明（以下「本願発明」という。）は、平成２４年９月１８日付け手続補正書により補正された特許請求の範囲の請求項１に記載された事項により特定される、以下のとおりのものである。
「画像を表示する表示パネルと、
　前記表示パネルの少なくとも一辺の側面側に設けられる熱源と、
　前記熱源で発生する熱を吸熱する吸熱部と、
　前記表示パネルの背面側に設けられ、金属からなり、一部が前記吸熱部に密着する背面板と、
　前記表示パネルの前面側に設けられ、金属からなる前面板と、
　前記前面板と前記吸熱部との間に設けられ、前記吸熱部が吸熱した熱を前記前面板に伝導するミドルシャーシと、
を備える、表示装置。」
　
（１）引用例
　原査定の拒絶の理由に引用された刊行物、及び、その記載内容は、上記「２．（２）引用例」に記載したとおりである。
　
（２）対比・判断
　本願発明は、実質的に上記「２．（１）補正後の本願の発明」で検討した本願補正発明の「背面板」に関し、「表示パネルの背面側において」一部が吸熱部に密着するとの限定を省いたものである。
　
　そうすると、本願発明を特定する事項の全てを含み、さらに限定したものに相当する本願補正発明が、上記「２．（３）対比」及び「２．（４）判断」に記載したとおり、引用発明１、２及び上記技術常識に基づいて当業者が容易に発明をすることができたものであるから、本願発明も、同様の理由により、引用発明１、２及び上記技術常識に基づいて当業者が容易に発明をすることができたものである。
　
（３）むすび
　以上のとおりであるから、本願発明は、引用発明１、２及び上記技術常識に基づいて、当業者が容易に発明をすることができたものであるから、特許法第２９条第２項の規定により特許を受けることができない。
　
　よって、結論のとおり審決する。